(57)【要約】【課題】蛍光染色標本の画像を基に、当該標本内の関心領域を特定するのにより適した領域特定用画像を生成するための技術を提供する。【解決手段】本発明は、蛍光染色標本内の関心領域を特定するのに適した領域特定用画像を生成する画像処理装置であって、蛍光染色標本の蛍光画像に対して第１の代替色を適用し、前記蛍光画像の輝度情報を前記第１の代替色で表現する代替色蛍光画像を生成する蛍光画像変換手段と、前記蛍光染色標本の位相画像に対して前記第１の代替色と異なる第２の代替色を適用し、前記位相画像の輝度情報を前記第２の代替色で表現する代替色位相画像を生成する位相画像変換手段と、前記代替色蛍光画像と前記代替色位相画像とを合成して領域特定用画像を生成する画像生成手段と、を備える画像処理装置を提供する。【選択図】図５
2016161417.tif 000002
【特許請求の範囲】
【請求項１】
蛍光染色標本内の関心領域を特定するのに適した領域特定用画像を生成する画像処理装置であって、
蛍光染色標本の蛍光画像に対して第１の代替色を適用し、前記蛍光画像の輝度情報を前記第１の代替色で表現する代替色蛍光画像を生成する蛍光画像変換手段と、
前記蛍光染色標本の位相画像に対して前記第１の代替色と異なる第２の代替色を適用し、前記位相画像の輝度情報を前記第２の代替色で表現する代替色位相画像を生成する位相画像変換手段と、
前記代替色蛍光画像と前記代替色位相画像とを合成して領域特定用画像を生成する画像生成手段と、
を備えることを特徴とする画像処理装置。
【請求項２】
前記第１の代替色は、ヘマトキシリン染色と同系色であり、
前記第２の代替色は、グレースケール、又は、エオジン染色と同系色である
ことを特徴とする請求項１に記載の画像処理装置。
【請求項３】
前記第１の代替色は、赤紫から青の色相範囲内の色であり、
前記第２の代替色は、グレースケール、又は、赤から紫の色相範囲内の色である
ことを特徴とする請求項１に記載の画像処理装置。
【請求項４】
蛍光染色標本内の関心領域を特定するのに適した領域特定用画像を生成する画像処理装置であって、
蛍光染色標本の蛍光画像に対して第１の代替色を適用し、前記蛍光画像の輝度情報を前記第１の代替色で表現する代替色蛍光画像を生成する蛍光画像変換手段と、
前記蛍光染色標本の位相画像に対して前記第１の代替色と異なる第２の代替色を適用し、前記位相画像の輝度情報を前記第２の代替色で表現する代替色位相画像を生成する位相画像変換手段と、
前記蛍光染色標本の自家蛍光画像に対して前記第１の代替色と異なる第３の代替色を適用し、前記自家蛍光画像の輝度情報を前記第３の代替色で表現する代替色自家蛍光画像を生成する自家蛍光画像変換手段と、
前記代替色蛍光画像と前記代替色位相画像と前記代替色自家蛍光画像とを合成して領域特定用画像を生成する画像生成手段と、
を備えることを特徴とする画像処理装置。
【請求項５】
前記第１の代替色は、ヘマトキシリン染色と同系色であり、
前記第２の代替色は、グレースケール、又は、エオジン染色と同系色であり、
前記第３の代替色は、グレースケール、又は、エオジン染色と同系色である
ことを特徴とする請求項３に記載の画像処理装置。
【請求項６】
前記第１の代替色は、赤紫から青の色相範囲内の色であり、
前記第２の代替色は、グレースケール、又は、赤から紫の色相範囲内の色であり、
前記第３の代替色は、グレースケール、又は、赤から紫の色相範囲内の色である
ことを特徴とする請求項４に記載の画像処理装置。
【請求項７】
前記位相画像は、定量位相画像又は位相差画像である
ことを特徴とする請求項１〜６のうちいずれか１項に記載の画像処理装置。
【請求項８】
前記蛍光画像は、蛍光顕微鏡により取得された画像である
ことを特徴とする請求項１〜７のうちいずれか１項に記載の画像処理装置。
【請求項９】
前記位相画像は、位相差顕微鏡により取得された画像、又は、微分干渉顕微鏡により取得された画像である
ことを特徴とする請求項１〜８のうちいずれか１項に記載の画像処理装置。
【請求項１０】
デフォーカスを変えて撮像された前記蛍光染色標本の複数の明視野画像を取得し、前記複数の明視野画像を合成して前記位相画像を生成する位相画像生成手段をさらに備える
ことを特徴とする請求項１〜８のうちいずれか１項に記載の画像処理装置。
【請求項１１】
前記蛍光染色標本は、ＦＩＳＨ染色又はＩＨＣ染色が施された標本である
ことを特徴とする請求項１〜１０のうちいずれか１項に記載の画像処理装置。
【請求項１２】
蛍光染色標本の蛍光画像を取得するための蛍光画像取得ユニットと、前記蛍光染色標本の位相画像を取得するための位相画像取得ユニットと、を有する撮像装置と、
前記蛍光画像取得ユニットで取得された前記蛍光画像と前記位相画像取得ユニットで取得された前記位相画像とを用いて領域特定用画像を生成する、請求項１〜１１のうちいずれか１項に記載の画像処理装置と、
を備えることを特徴とするイメージングシステム。
【請求項１３】
前記蛍光画像取得ユニットは、蛍光顕微鏡であり、
前記位相画像取得ユニットは、位相差顕微鏡、又は、微分干渉顕微鏡である
ことを特徴とする請求項１２に記載のイメージングシステム。
【請求項１４】
蛍光染色標本の蛍光画像を取得するための蛍光画像取得ユニットと、前記蛍光染色標本の明視野画像を取得するための明視野画像取得ユニットと、を有する撮像装置と、
前記蛍光画像取得ユニットで取得された前記蛍光画像と前記明視野画像取得ユニットで取得されたデフォーカスの異なる複数の明視野画像とを用いて領域特定用画像を生成する、請求項１０に記載の画像処理装置と、
を備えることを特徴とするイメージングシステム。
【請求項１５】
前記蛍光画像取得ユニットは、蛍光顕微鏡であり、
前記明視野画像取得ユニットは、明視野顕微鏡である
ことを特徴とする請求項１４に記載のイメージングシステム。
【請求項１６】
蛍光染色標本内の関心領域を特定するのに適した領域特定用画像を生成する画像処理方法であって、
コンピュータが、蛍光染色標本の蛍光画像に対して第１の代替色を適用し、前記蛍光画像の輝度情報を前記第１の代替色で表現する代替色蛍光画像を生成するステップと、
コンピュータが、前記蛍光染色標本の位相画像に対して前記第１の代替色と異なる第２の代替色を適用し、前記位相画像の輝度情報を前記第２の代替色で表現する代替色位相画像を生成するステップと、
コンピュータが、前記代替色蛍光画像と前記代替色位相画像とを合成して領域特定用画像を生成するステップと、
を含むことを特徴とする画像処理方法。
【請求項１７】
蛍光染色標本内の関心領域を特定するのに適した領域特定用画像を生成する画像処理方法であって、
コンピュータが、蛍光染色標本の蛍光画像に対して第１の代替色を適用し、前記蛍光画像の輝度情報を前記第１の代替色で表現する代替色蛍光画像を生成するステップと、
コンピュータが、前記蛍光染色標本の位相画像に対して前記第１の代替色と異なる第２
の代替色を適用し、前記位相画像の輝度情報を前記第２の代替色で表現する代替色位相画像を生成するステップと、
コンピュータが、前記蛍光染色標本の自家蛍光画像に対して前記第１の代替色と異なる第３の代替色を適用し、前記自家蛍光画像の輝度情報を前記第３の代替色で表現する代替色自家蛍光画像を生成するステップと、
コンピュータが、前記代替色蛍光画像と前記代替色位相画像と前記代替色自家蛍光画像とを合成して領域特定用画像を生成するステップと、
を含むことを特徴とする画像処理方法。
【請求項１８】
請求項１６又は１７に記載の画像処理方法の各ステップをコンピュータに実行させることを特徴とするプログラム。
【発明の詳細な説明】
【技術分野】
【０００１】
本発明は、標本内の関心領域を特定するための技術に関する。
【背景技術】
【０００２】
抗体医薬を中心とした分子標的薬治療の普及に伴い、Ｉｎ  ｓｉｔｕ  ハイブリダイゼーション（Ｉｎ  ｓｉｔｕ  Ｈｙｂｒｉｄｉｚａｔｉｏｎ；ＩＳＨ）および免疫組織化学（Ｉｍｍｕｎｏｈｉｓｔｏｃｈｅｍｉｓｔｒｙ；ＩＨＣ）の重要性が高まっている。
例えば、抗体医薬トラスツズマブ（Ｔｒａｓｔｕｚｕｍａｂ）の標的物質であるヒト上皮成長因子受容体２（Ｈｕｍａｎ  ｅｐｉｄｅｒｍａｌ  ｇｒｏｗｔｈ  ｆａｃｔｏｒ−２；ＨＥＲ２）の遺伝子増幅やタンパク過剰発現を調べる「ＨＥＲ２検査」においては、蛍光ＩＳＨ（Ｆｌｕｏｒｅｓｃｅｎｓｅ  ＩＳＨ；ＦＩＳＨ）染色やＩＨＣ染色が使用されている。
【０００３】
このＨＥＲ２検査は、浸潤性の腫瘍細胞で生じている遺伝子増幅やタンパク過剰発現を調べる方法であるため、標本中の腫瘍細胞やその領域を特定する必要がある。更に同じ標本中に非浸潤性と浸潤性の腫瘍細胞がある場合には、浸潤性の腫瘍細胞を抽出する必要がある。
【０００４】
それゆえ一般的には、検体組織から複数の組織切片標本を作製し、その標本の一つをヘマトキシリンおよびエオジン（Ｈｅｍａｔｏｘｙｌｉｎ＆ｅｏｓｉｎ；Ｈ＆Ｅ）で染色する。そして、Ｈ＆Ｅ染色標本を用いて浸潤性の腫瘍細胞を特定し、これを関心領域（Ｒｅｇｉｏｎ  ｏｆ  Ｉｎｔｅｒｅｓｔ；ＲＯＩ）とする。更に、Ｈ＆Ｅ染色標本とは別の標本に対してＦＩＳＨ染色又はＩＨＣ染色を施し、検査用の蛍光染色標本を作製する。Ｈ＆Ｅ染色標本で特定した関心領域に対応する、蛍光染色標本内の領域を顕微鏡観察により特定する。そして、このように特定した蛍光染色標本内の領域の遺伝子増幅やタンパク過剰発現を、蛍光顕微鏡などを用いて調べる。
【０００５】
しかしながら、Ｈ＆Ｅ染色標本を用いて特定した関心領域に対応する領域をＦＩＳＨ染色やＩＨＣ染色標本の中から特定する方法は、膨大な手間と熟練性を有するため、術者依存度が高く、病理診断における検査のばらつきの要因となり得る。
また、関心領域の特定に用いるＨ＆Ｅ染色標本と、検査に用いる蛍光染色標本（ＦＩＳＨ染色標本、ＩＨＳ染色標本など）では、細胞の位置や形状が厳密には一致しない。したがって、本来的には、一つの標本で関心領域の決定と病理診断の両方が実施できることが望ましい。例えば、特許文献１と特許文献２には、同一の標本から関心領域の決定と標的物質の検査を行う方法が開示されている。
【先行技術文献】
【特許文献】
【０００６】
【特許文献１】特許第５５４０１０２号公報（ＷＯ２０１１／０４６８０７号公報）
【特許文献２】特許第５６３１９９９号公報（ＷＯ２０１１／０４０８７２号公報）
【非特許文献】
【０００７】
【非特許文献１】Ｏｐｔｉｃｓ  Ｅｘｐｒｅｓｓ，Ｖｏｌ．１７，Ｉｓｓｕｅ  １５，ｐｐ．１３０８０−１３０９４（２００９）
【非特許文献２】ＪＯＳＡ，Ｖｏｌ．７３，Ｉｓｓｕｅ  １１，ｐｐ．１４３４−１４４１（１９８３）
【発明の概要】
【発明が解決しようとする課題】
【０００８】
ＦＩＳＨやＩＨＣを用いる検査方法では、Ｈ＆Ｅ染色による関心領域の決定が利用されている。これは、ＦＩＳＨ染色やＩＨＣ染色で得られる染色像が、関心領域を決定するために不可欠な線維性組織や結合組織の構造、細胞核の位置や大きさ、さらにはクロマチンや核小体など、細胞核内外の詳細な構造を十分に可視化していないことに起因する。
【０００９】
特許文献１に記載の方法では、ＤＡＰＩ（４’，６−ｄｉａｍｉｎｏ−２−ｐｈｅｎｙｌｉｄｏｌｅ  ｄｉｈｙｄｒｏｃｈｌｏｒｉｄｅ）を用いて細胞核を蛍光染色した標本について、蛍光画像と屈折暗視野画像を取得する。蛍光画像に対しヘマトキシリン染色のような疑似カラーを付けるとともに、屈折暗視野画像に対しエオジン染色のような疑似カラーを付け、その２つの画像を合成してＨ＆Ｅ染色画像に類似した画像を得ている。
また、特許文献２に記載の方法では、ＤＡＰＩを用いて細胞核を蛍光染色した標本について、蛍光画像と自家蛍光画像を含む複数種の蛍光画像を取得する。そして、複数種の蛍光画像のそれぞれを色チャンネルとする合成画像に対し所定の色変換行列を適用し、Ｈ＆Ｅ染色画像に類似した画像を得ている。
【００１０】
しかしながら、屈折暗視野画像（特許文献１）や自家蛍光画像（特許文献２）を用いる従来の方法では、細胞核内及び細胞核外の詳細な構造を把握できるだけのコントラストの付いた画像を得ることができない。それゆえ、従来の方法は、Ｈ＆Ｅ染色で可視化される画像情報を十分に再現することができていなかった。
【００１１】
本発明は、上記課題を克服するものであり、蛍光染色標本の画像を基に、当該標本内の関心領域を特定するのにより適した領域特定用画像を生成するための技術を提供することを目的とする。
【課題を解決するための手段】
【００１２】
本発明の第一態様は、蛍光染色標本内の関心領域を特定するのに適した領域特定用画像を生成する画像処理装置であって、蛍光染色標本の蛍光画像に対して第１の代替色を適用し、前記蛍光画像の輝度情報を前記第１の代替色で表現する代替色蛍光画像を生成する蛍光画像変換手段と、前記蛍光染色標本の位相画像に対して前記第１の代替色と異なる第２の代替色を適用し、前記位相画像の輝度情報を前記第２の代替色で表現する代替色位相画像を生成する位相画像変換手段と、前記代替色蛍光画像と前記代替色位相画像とを合成して領域特定用画像を生成する画像生成手段と、を備える画像処理装置を提供する。
【００１３】
本発明の第二態様は、蛍光染色標本内の関心領域を特定するのに適した領域特定用画像を生成する画像処理装置であって、蛍光染色標本の蛍光画像に対して第１の代替色を適用し、前記蛍光画像の輝度情報を前記第１の代替色で表現する代替色蛍光画像を生成する蛍光画像変換手段と、前記蛍光染色標本の位相画像に対して前記第１の代替色と異なる第２の代替色を適用し、前記位相画像の輝度情報を前記第２の代替色で表現する代替色位相画像を生成する位相画像変換手段と、前記蛍光染色標本の自家蛍光画像に対して前記第１の代替色と異なる第３の代替色を適用し、前記自家蛍光画像の輝度情報を前記第３の代替色で表現する代替色自家蛍光画像を生成する自家蛍光画像変換手段と、前記代替色蛍光画像と前記代替色位相画像と前記代替色自家蛍光画像とを合成して領域特定用画像を生成する画像生成手段と、を備える画像処理装置を提供する。
【００１４】
本発明の第三態様は、蛍光染色標本の蛍光画像を取得するための蛍光画像取得ユニットと、前記蛍光染色標本の位相画像を取得するための位相画像取得ユニットと、を有する撮像装置と、前記蛍光画像取得ユニットで取得された前記蛍光画像と前記位相画像取得ユニットで取得された前記位相画像とを用いて領域特定用画像を生成する画像処理装置と、を
備えるイメージングシステムを提供する。
【００１５】
本発明の第四態様は、蛍光染色標本の蛍光画像を取得するための蛍光画像取得ユニットと、前記蛍光染色標本の明視野画像を取得するための明視野画像取得ユニットと、を有する撮像装置と、前記蛍光画像取得ユニットで取得された前記蛍光画像と前記明視野画像取得ユニットで取得されたデフォーカスの異なる複数の明視野画像とを用いて領域特定用画像を生成する画像処理装置と、を備えるイメージングシステムを提供する。
【００１６】
本発明の第五態様は、蛍光染色標本内の関心領域を特定するのに適した領域特定用画像を生成する画像処理方法であって、コンピュータが、蛍光染色標本の蛍光画像に対して第１の代替色を適用し、前記蛍光画像の輝度情報を前記第１の代替色で表現する代替色蛍光画像を生成するステップと、コンピュータが、前記蛍光染色標本の位相画像に対して前記第１の代替色と異なる第２の代替色を適用し、前記位相画像の輝度情報を前記第２の代替色で表現する代替色位相画像を生成するステップと、コンピュータが、前記代替色蛍光画像と前記代替色位相画像とを合成して領域特定用画像を生成するステップと、を含む画像処理方法を提供する。
【００１７】
本発明の第六態様は、蛍光染色標本内の関心領域を特定するのに適した領域特定用画像を生成する画像処理方法であって、コンピュータが、蛍光染色標本の蛍光画像に対して第１の代替色を適用し、前記蛍光画像の輝度情報を前記第１の代替色で表現する代替色蛍光画像を生成するステップと、コンピュータが、前記蛍光染色標本の位相画像に対して前記第１の代替色と異なる第２の代替色を適用し、前記位相画像の輝度情報を前記第２の代替色で表現する代替色位相画像を生成するステップと、コンピュータが、前記蛍光染色標本の自家蛍光画像に対して前記第１の代替色と異なる第３の代替色を適用し、前記自家蛍光画像の輝度情報を前記第３の代替色で表現する代替色自家蛍光画像を生成するステップと、コンピュータが、前記代替色蛍光画像と前記代替色位相画像と前記代替色自家蛍光画像とを合成して領域特定用画像を生成するステップと、を含む画像処理方法を提供する。
【００１８】
本発明の第七態様は、本発明に係る画像処理方法の各ステップをコンピュータに実行させるプログラムを提供する。
【発明の効果】
【００１９】
本発明によれば、蛍光染色標本の画像を基に、当該標本内の関心領域を特定するのにより適した領域特定用画像を生成することができる。
【図面の簡単な説明】
【００２０】
【図１】本発明の実施形態に係るイメージングシステムの構成を示す図。
【図２】蛍光フィルターユニットの構成を示す図。
【図３】位相画像取得ユニットの構成を示す図。
【図４】第一の実施形態に係る画像処理装置の機能構成を示す図。
【図５】第一の実施形態に係るイメージングシステムの処理フローを示す図。
【図６】第二の実施形態に係る画像処理装置の機能構成を示す図。
【図７】第二の実施形態に係るイメージングシステムの処理フローを示す図。
【図８】明視野画像取得ユニットの構成を示す図。
【図９】第三の実施形態に係る画像処理装置の機能構成を示す図。
【図１０】検討例１で取得した画像を示す図。
【図１１】検討例２で取得した画像を示す図。
【図１２】実施例１で取得した画像を示す図。
【図１３】実施例２で取得した画像を示す図。
【図１４】実施例３で取得した画像を示す図。
【図１５】実施例４で取得した画像を示す図。
【発明を実施するための形態】
【００２１】
本発明は、蛍光染色標本内の関心領域（ＲＯＩ、関心領域とも呼ばれる）を特定するのに適した領域特定用画像を生成するための技術に関する。本発明に係る技術は、蛍光染色標本を固定したスライド（プレパラートとも呼ばれる）のデジタル顕微鏡画像を取得し観察するバーチャル・スライド・システムなどのイメージングシステムに適用することができる。
【００２２】
以下に述べる本発明の実施形態では、領域特定用画像の生成方法として、次の２つの方法を提案する。方法１は、同じ蛍光染色標本の「蛍光画像」と「位相画像」とから領域特定用画像を合成する方法であり、方法２は、同じ蛍光染色標本の「蛍光画像」と「自家蛍光画像」と「位相画像」とから領域特定用画像を合成する方法である。
具体的には、方法１では、
１）蛍光画像に対して第１の代替色を適用し、蛍光画像の輝度情報を第１の代替色で表現する代替色蛍光画像を生成する、
２）位相画像に対して第１の代替色と異なる第２の代替色を適用し、位相画像の輝度情報を第２の代替色で表現する代替色位相画像を生成する、
３）代替色蛍光画像と代替色位相画像とを合成して領域特定用画像を生成する、
という処理を行う。
また、方法２では、
１）蛍光画像に対して第１の代替色を適用し、蛍光画像の輝度情報を第１の代替色で表現する代替色蛍光画像を生成する、
２）位相画像に対して第１の代替色と異なる第２の代替色を適用し、位相画像の輝度情報を第２の代替色で表現する代替色位相画像を生成する、
３）自家蛍光画像に対して第１の代替色と異なる第３の代替色を適用し、自家蛍光画像の輝度情報を第３の代替色で表現する代替色自家蛍光画像を生成する、
４）代替色蛍光画像と代替色位相画像と代替色自家蛍光画像とを合成して領域特定用画像を生成する、
という処理を行う。
【００２３】
「蛍光染色標本」は、標的物質に対し蛍光物質が付加された標本であり、例えば、ＦＩＳＨ染色標本、ＩＨＣ染色標本などが含まれる。「蛍光画像」は、蛍光染色によって付加された蛍光物質から発生する蛍光の強度を表す画像である。「自家蛍光画像」は、標的物質の蛍光ではなく、組織由来の蛍光の強度を表す画像である。「位相画像」は、標本を透過した光の位相変化を可視化した画像である。
【００２４】
例えば、病理診断に用いられる組織切片を例にとると、細胞核の蛍光画像は標本内での細胞核の位置関係や細胞核内の構造（染色体、クロマチンなど）の画像情報を含み、位相画像は細胞核内の構造（クロマチン、核小体など）及び細胞核外の構造（線維性組織や結合組織の構造など）の画像情報を含んでいる。したがって、これらの画像情報に対し異なる代替色を適用し、それらを合成することで、細胞核の位置・大きさ、細胞核内の構造、細胞核外の構造などの詳細構造が可視化された領域特定用画像を得ることができる。また、自家蛍光画像も細胞核外の組織の画像情報を含んでいるため、方法２のように自家蛍光画像も合成に用いることで、細胞核外の構造をより詳細に可視化することができる。
【００２５】
この領域特定用画像を用いれば、標本全体のなかから検査を行うべき関心領域を探索し特定する作業（スクリーニング）を適切かつ高信頼に行うことができる。そして、領域特定用画像は、検査用の蛍光染色標本から得られた細胞核の蛍光画像と位相画像（と自家蛍光画像）から生成されるので、同一の標本を用いて関心領域の決定と標的物質の検査が可
能となる。それゆえ、Ｈ＆Ｅ染色標本の画像で特定した関心領域と蛍光染色標本内の領域との対応付けといった、手間のかかる作業や熟練性を要する作業が不要となり、検査が迅速化、簡便化される。また、領域特定用画像から決定した腫瘍細胞そのものの遺伝子増幅やタンパク過剰発現を調べることが出来るため、Ｈ＆Ｅ染色標本の画像で領域を決定する方法に比べて、より直接的な検査結果を得ることが出来る。
【００２６】
上記方法１、２において、「第１の代替色」にはヘマトキシリン染色の同系色を用いるとよい。同系色とは、色相が同一又は類似している色をいう。ヘマトキシリン染色の同系色には、例えば、赤紫から青の色相範囲内の色が該当する。また「第２の代替色」と「第３の代替色」には、グレースケール（無彩色）か、又は、エオジン染色の同系色を用いるとよい。エオジン染色の同系色には、例えば、赤から紫の色相範囲内の色が該当する。なお、ヘマトキシリン染色の同系色の色相範囲とエオジン染色の同系色の色相範囲は一部重なるが、第１の代替色と第２及び第３の代替色を異なる色相から選択すれば、問題はない。第２の代替色と第３の代替色は同じでもよいし、互いに異なっていてもよい。第２の代替色と第３の代替色の色相が同じで、彩度が異なっていてもよい。
【００２７】
第１の代替色にヘマトキシリン染色の同系色を用い、第２の代替色や第３の代替色にグレースケール（又はグレースケールに近い低彩度の色）を用いた場合には、ヘマトキシリン染色像に良く似た領域特定用画像が得られる。第１の代替色にヘマトキシリン染色の同系色を用い、第２の代替色と第３の代替色の少なくとも一方にエオジン染色の同系色を用いた場合には、Ｈ＆Ｅ染色像に良く似た領域特定用画像が得られる。これにより、利用者は、病理学的検査において広く慣れ親しんだヘマトキシリン染色像やＨ＆Ｅ染色像に良く似た画像を用いて、関心領域を決定することができる。即ち、病理学的検査分野において数十年に渡って蓄積されたヘマトキシリン染色またはＨ＆Ｅ染色に関する知見をそのまま利用できるようになり、より正確な関心領域の決定が可能となる。
【００２８】
上記方法１、２を実施するための具体的な実施形態について以下説明する。ただし、以下の実施形態は本発明の好ましい構成を例示するものであり、本発明はこれに限定されない。
【００２９】
＜第一の実施形態＞
本発明の第一の実施形態は、標本の蛍光画像を取得する蛍光画像取得ユニットと標本の位相画像を取得する位相画像取得ユニットを有する撮像装置と、領域特定用画像を生成する画像処理装置とを具備するイメージングシステムである。このイメージングシステムは、例えば、Ｉｎ  ｓｉｔｕ  ハイブリダイゼーションまたは免疫組織化学を用いた標本中の標的物質を検査するために利用される。
【００３０】
Ｉｎ  ｓｉｔｕ  ハイブリダイゼーション（ＩＳＨ）は、医学、生物学領域などで広く普及している一般技術であり、臨床検査領域にも取り入れられている。ＩＳＨでは、通常、３２Ｐや３５Ｓなどの放射性同位体、チミンダイマーやジゴキシゲニンなどの抗原性物質（ハプテン）、または蛍光性化合物などで標識したＲＮＡプローブやＤＮＡプローブを利用する。そして、細胞の染色体ＤＮＡ（デオキシリボ核酸）や組織中のＲＮＡ（リボ核酸）を標的として、前記プローブとハイブリッド形成させる。これにより、特定遺伝子の染色体上バンドの位置、特定遺伝子の染色体上での増幅、あるいは遺伝子産物であるｍＲＮＡ（メッセンジャーＲＮＡ）の組織中の量や局在領域などが決定できる。また、蛍光性の化合物で標識したＲＮＡプローブやＤＮＡプローブを用いる方法を、ＦＩＳＨ（Ｆｌｕｏｒｅｓｃｅｎｃｅ  Ｉｎ  Ｓｉｔｕ  Ｈｙｂｒｉｄｉｚａｔｉｏｎ）と呼び分けることもある。
【００３１】
免疫組織化学は、細胞や組織上の特定の標的物質を、その標的物質を特異的に認識する
抗体によって検出する方法であり、医学、生物学領域などで広く普及している一般技術である。一般的には、組織をホルマリン等で固定後、パラフィン包埋したブロックから薄切した切片上に特定の標的物質を認識する抗体を反応させ、反応した抗体の有無から標的物質の存在を判断する。この標的物質と反応させる抗体を、通常、一次抗体と呼ぶ。一次抗体に、視覚または装置により検出し得るシグナルを発する物質を標識しておけば、そのシグナルの強度から一次抗体の量がわかる。そして、この量は切片上の抗原の量に対応する。この目的を達成するためのシグナルを発する物質としては、蛍光性化合物や酵素などが挙げられる。また、蛍光性化合物を使用する方法を蛍光抗体法、酵素を使用する方法を酵素抗体法と呼び分けることもある。
【００３２】
本実施形態において、ＩＳＨや免疫組織化学には、公知の方法が適用可能であり、特に限定されない。好適には、蛍光性化合物を利用するＦＩＳＨや蛍光抗体法を適用することができる。
【００３３】
本実施形態において、標本とは、ｉｎ  ｖｉｖｏまたはｉｎ  ｖｉｔｒｏで得られた生物学的組織、細胞または液体由来の試料など、生物学的被験体から得られた試料を意味する。それゆえ、本実施形態において適用される標本に限定は無く、ヒトを含む哺乳動物から分離された体液、例えば、血液、血清、血漿、尿、精液、ずい液、唾液、汗、涙、腹水、羊水、細胞、組織、器官、あるいはそれらを含む希釈液などであり得る。また標本は、哺乳動物にも限定されず、原核生物由来のものでも真核生物由来のものでも良い。さらに標本は、組織を含む生物学的試料の切片、例えば、器官または組織の切片であり得るし、生物学的試料からの抽出物、例えば、抗原、抗体、タンパク質、核酸であり得る。
【００３４】
本実施形態において、標的物質とは、ＩＳＨや免疫組織化学を用いて検出できる標本中の成分であれば、特に限定されない。例えば、核酸（例えば、ポリヌクレオチド、ＤＮＡ、ＲＮＡ、アプタマー）、ペプチド、タンパク質、脂質、糖類、ホルモン、抗体、リガンド、レセプター、酵素などであり得る。若干の実施形態では、標的物質はタンパク質または核酸を含み得る。
【００３５】
本実施形態では、標本の少なくとも一部の領域の細胞核を蛍光染色する。この工程は、蛍光性のインターカレーターやグルーブバインダーにより、細胞核を染色する工程を意味している。それゆえこの工程には、公知のＩＳＨや免疫組織化学、特に、ＦＩＳＨや蛍光抗体法で実施される核の対比染色が含まれる。この一例として、パラフィン包埋切片を用いたＦＩＳＨにおける対比染色を以下に示すが、細胞核を蛍光染色する方法はこれに限定されない。
【００３６】
（ＦＩＳＨ染色における対比染色）
（１）脱パラフィン処理
キシレンやキシレン代替品を入れた容器に病理切片を浸漬させ、パラフィンを除去する。温度はとくに限定されるものではないが、通常は室温で実施される。浸漬時間は１〜３０分であることが好ましい。また、必要に応じてキシレンを交換してもよい。
次に、エタノールを入れた容器に病理切片を浸漬させ、キシレンを除去する。温度はとくに限定されるものではないが、通常は室温で実施される。浸漬時間は１〜３０分であることが好ましい。また、必要に応じてエタノールを交換してもよい。
次に、水や緩衝液を入れた容器に病理切片を浸漬させ、エタノールを除去する。温度はとくに限定されるものではないが、通常は室温で実施される。浸漬時間は１〜３０分であることが好ましい。また、必要に応じて水や緩衝液を交換してもよい。
【００３７】
（２）塩酸処理
組織切片の状態に応じて、塩酸処理を行う。塩酸処理条件は特に限定されないが、０．
２Ｎ−塩酸溶液を入れた容器に組織切片を浸漬させる。浸漬時間は、１〜６０分であることが好ましい。
次に、水や緩衝液を入れた容器に病理切片を浸漬させ、塩酸溶液を除去する。温度はとくに限定されるものではないが、通常は室温で実施される。浸漬時間は１〜３０分であることが好ましい。また、必要に応じて水や緩衝液を交換してもよい。
次に、２×ＳＳＣを入れた容器に病理切片を浸漬させる。温度はとくに限定されるものではないが、通常は室温で実施される。浸漬時間は１〜３０分であることが好ましい。また、必要に応じて２×ＳＳＣを交換してもよい。
【００３８】
（３）加熱処理
公知の方法に従い、加熱処理溶液を入れた容器に組織切片を浸漬させて、過熱処理を行う。加熱処理条件は特に限定されないが、過熱処理液としては、０．０１Ｍクエン酸緩衝液（ｐＨ６．０）、１ｍＭトリス塩酸緩衝液（ｐＨ８．０〜９．０）、１Ｎ−チオシアン酸ナトリウムなどを用いることができる。加熱方法としては、ホットプレート、ウォーターバス、オートクレーブ、マイクロウェーブ、圧力鍋などを用いることができる。加熱温度は、５０〜１３０℃、加熱時間は、１〜６０分であることが好ましい。
次に、水や緩衝液を入れた容器に病理切片を浸漬させる。温度はとくに限定されるものではないが、通常は室温で実施される。浸漬時間は１〜３０分であることが好ましい。また、必要に応じて水や緩衝液を交換してもよい。
次に、２×ＳＳＣを入れた容器に病理切片を浸漬させる。温度はとくに限定されるものではないが、通常は室温で実施される。浸漬時間は１〜３０分であることが好ましい。また、必要に応じて２×ＳＳＣを交換してもよい。
【００３９】
（４）タンパク質分解酵素処理
公知の方法に従い、組織切片のタンパク質分解酵素処理を行う。タンパク質分解酵素処理条件は特に限定されないが、酵素処理液としては、トリプシン溶液、ペプシン溶液、プロテアーゼＫ溶液などを用いることができる。また、タンパク質分解酵素処理は、組織切片上に酵素処理液を添加して行う。処理時間は、１〜６０分であることが好ましい。また、反応温度は、４℃〜４０℃であることが好ましい。
次に、２×ＳＳＣを入れた容器に病理切片を浸漬させる。温度はとくに限定されるものではないが、通常は室温で実施される。浸漬時間は１〜３０分であることが好ましい。また、必要に応じて２×ＳＳＣを交換してもよい。
次に、水を入れた容器に病理切片を浸漬させ、２×ＳＳＣを除去する。温度はとくに限定されるものではないが、通常は室温で実施される。浸漬時間は１〜３０分であることが好ましい。また、必要に応じて水を交換してもよい。その後、組織切片を乾燥させる。
【００４０】
（５）ハイブリダイゼーション
公知の方法に従い、蛍光性化合物で標識されたＤＮＡプローブ溶液を、組織切片上に添加する。その上に２０×２０ｍｍ程度のカバーグラスを被せて、その周囲をペーパーボンドで塞ぐ。組織切片を湿潤箱に入れ、ハイブリダイゼーション反応を行う。ハイブリダイゼーション条件は特に限定されないが、反応時間は１〜４８時間が好ましい。反応温度は、４〜４５℃であることが好ましい。
【００４１】
（６）洗浄
ペーパーボンドを剥がし、５０％ホルムアミド含有２×ＳＳＣを入れた容器に病理切片を浸漬させる。温度はとくに限定されるものではないが、通常は室温〜５０℃で実施される。浸漬時間は１〜３０分であることが好ましい。また、必要に応じて５０％ホルムアミド含有２×ＳＳＣを交換してもよい。
次に、２×ＳＳＣを入れた容器に病理切片を浸漬させる。温度はとくに限定されるものではないが、通常は室温〜５０℃で実施される。浸漬時間は１〜３０分であることが好ま
しい。また、必要に応じて２×ＳＳＣを交換してもよい。
次に、０．１％ＮＰ−４０含有２×ＳＳＣを入れた容器に病理切片を浸漬させる。温度はとくに限定されるものではないが、通常は室温〜５０℃で実施される。浸漬時間は１〜３０分であることが好ましい。また、必要に応じて０．１％ＮＰ−４０含有２×ＳＳＣを交換してもよい。
次に、２×ＳＳＣを入れた容器に病理切片を浸漬させる。温度はとくに限定されるものではないが、通常は室温で実施される。浸漬時間は１〜３０分であることが好ましい。また、必要に応じて２×ＳＳＣを交換してもよい。その後、組織切片を乾燥させる。
【００４２】
（７）細胞核の対比染色
公知の方法に従い、細胞核の対比染色を行う。組織切片上に対比染色液を滴下し、その上に２０×２０ｍｍ程度のカバーグラスを被せる。必要に応じて、カバーグラスの周辺をマニキュア等で塞いでもよい。
【００４３】
上述したように、本実施形態における細胞核を蛍光染色する工程には、ＩＳＨやＩＨＣで実施される対比染色が含まれている。また、対比染色剤は、細胞核を染色するための蛍光性化合物であれば特に限定されない。例えば、７−ａｍｉｎｏａｃｔｉｎｏｍｙｃｉｎＤ、Ａｃｒｉｄｉｎｅ  Ｏｒａｎｇｅ、ＤＡＰＩ、Ｅｔｈｉｄｉｕｍ  ｂｒｏｍｉｄｅ、Ｈｏｅｃｈｓｔ３３２５８、Ｈｏｅｃｈｉｓｔ３３３４２、Ｐｒｏｐｉｄｉｕｍ  ｉｏｄｉｄｅ、ＳＹＢＲ  Ｇｒｅｅｎなどが挙げられる。また、本実施形態では、蛍光の褪色防止剤が添加された蛍光性化合物や、蛍光性化合物を含有したマウント剤も適用可能である。好例としては、ＤＡＰＩ染色剤、あるいはＤＡＰＩ含有マウント剤が挙げられる。
【００４４】
（イメージングシステムの構成）
次に、蛍光画像ならびに位相画像の取得方法を、図１を用いて説明する。図１は、本発明の実施形態に係るイメージングシステムの構成の模式図である。イメージングシステムは、標本７の蛍光画像及び位相画像を取得する撮像装置１００と、撮像装置１００で取得された画像に対し各種画像処理を施す画像処理装置１１を備えている。
【００４５】
（蛍光画像取得ユニット）
撮像装置１００は、標本７の蛍光画像を取得するための蛍光画像取得ユニット（蛍光顕微鏡）を有している。以下、蛍光画像取得ユニットの構成について説明する。
蛍光励起用光源１から発せられた励起光は、励起光ユニット１３を通り、光軸Ａ２に沿って蛍光フィルターユニット３に導かれる。
【００４６】
蛍光フィルターユニット３は、図２に示すように、励起フィルター４と、吸収フィルター５と、ビームスプリッター６とをユニット化したものである。励起フィルター４は、標本を染色した蛍光性化合物の励起波長の光を透過させる光学部品である。吸収フィルター５は、標本を染色した蛍光性化合物の蛍光波長を含む波長の光を透過させる光学部品である。ビームスプリッター６は、入射光を透過光と反射光の二つの光に分離する光学部品である。ビームスプリッター６には公知のものが利用できる。好適には、特定波長よりも短い波長の光を反射すると共に、特定波長よりも長い波長の光を透過する性質を有する、波長依存型のビームスプリッターが適用される。このようなビームスプリッターを、ダイクロイックミラーと呼ぶこともある。
【００４７】
蛍光励起用光源１は、典型的には、発光ダイオード（ＬＥＤ）、金属ハロゲンまたは他のアークランプであるが、他のインコヒーレント光源またはレーザーのようなコヒーレント光源を使用することができる。また、蛍光励起用光源１の光は、複数の蛍光性の化合物に対応する励起光を含んでいる。それゆえ、発生した光を効率よく標本７に照射するために、励起光ユニット１３にレンズあるいは反射板を設けることもできる。ビームスプリッ
ター６は、蛍光励起用光源１から発せられた励起光のうち、標本７を染色した蛍光色素の励起波長成分を反射して標本７の方向に導く。
【００４８】
典型的な例において、蛍光画像は下記の方法で取得される。本実施形態において、標本７は、少なくとも細胞核を染色するための蛍光性化合物で染色されており、励起光に応答して蛍光を発生する。そして発生した蛍光の一部は、第一レンズユニット８を介してビームスプリッター６へと導かれる。ビームスプリッター６は、第一レンズユニット８からの蛍光の一部を透過させる。透過した蛍光は光軸Ｂ９に沿って進み、第二レンズユニット２５へと導かれる。さらに、第二レンズユニット２５の先には画像取得ユニット１０が配置されている。画像取得ユニット１０で取得された蛍光画像のデータは、画像処理装置１１に入力され、画像処理装置１１で処理、記録される。また利用者は、取得した蛍光画像を画像処理装置１１のディスプレイ（不図示）で確認することができる。
【００４９】
複数の蛍光性化合物で染色された標本の蛍光画像を取得する場合は、蛍光フィルターユニット３を交換すればよい。例えば、ＤＡＰＩやＨｏｅｃｈｓｔ３３３４２による細胞核の蛍光染色を行った場合、ＵＶ励起用の蛍光フィルターユニット（励起フィルター：３６０〜３７０ｎｍ、吸収フィルター：４２０〜４６０ｎｍ、ダイクロイックミラー：４１０ｎｍ）を用いることができる。また、ＦＩＴＣ標識抗体やＤＮＡプローブなどを用いて標的物質の蛍光染色を行った場合は、Ｂ励起用の蛍光フィルターユニット（励起フィルター：４７０〜４９５ｎｍ、吸収フィルター：５１０〜５５０ｎｍ、ダイクロイックミラー：５０５ｎｍ）を用いることができる。また、ＴＲＩＴＣ（Ｔｅｔｒａｍｅｔｈｙｌｒｈｏｄａｍｉｎｅ−５−（ａｎｄ  ６）−ｉｓｏｔｈｉｏｃｙａｎａｔｅ）標識抗体やＤＮＡプローブなどを用いて標的物質の蛍光染色を行った場合は、Ｇ励起用のフィルターユニット（励起フィルター：５４０〜５５０ｎｍ、吸収フィルター：５７５〜６２５ｎｍ、ダイクロイックミラー：５７０ｎｍ）を用いることができる。
【００５０】
撮像装置１００は、一般に市販されている蛍光フィルターユニットを用いることができる。本実施形態においては、上記に示した波長特性と同じ、または類似した蛍光フィルターユニットを選択することができるし、新たに作製したユニットを選択しても良い。
【００５１】
また、細胞核の蛍光画像の取得に加えて、標本の自家蛍光を含む、別の蛍光画像を取得する場合、その励起・蛍光スペクトルに適した蛍光フィルターユニットを用意し、ユニットを自動または手動で入れ替えながら蛍光画像を取得することができる。さらに、蛍光用マルチバンドパスフィルターを用いれば、蛍光の多重染色画像を同時に取得することも可能となる。
【００５２】
さらには、蛍光フィルターユニットとして、公知の液晶波長可変フィルターユニットを使用することもできる。液晶波長可変フィルターユニットは、電圧の大きさによって任意にフィルター透過波長を設定することが可能で、様々な波長の光を選択的に透過、遮断することができる。これにより、上述した物理的なフィルターユニットの交換が不要となる。
【００５３】
また、蛍光画像取得ユニットには、必要に応じて、熱線カットフィルター（不図示）を備えることもできる。熱源カットフィルターは、可視光よりも波長が長い赤外線を吸収するフィルターであり、これにより標本７の過熱を抑制することができる。さらに、必要に応じて、紫外線カットフィルター（不図示）を備えることもできる。紫外線カットフィルターは、可視光よりも波長が短い紫外線を吸収するフィルターであり、これにより標本７の劣化を抑制することができる。
【００５４】
本実施形態において、細胞核の蛍光染色を行った標本の少なくとも一部の領域の蛍光画
像が取得される。取得する標本の領域は限定されない。例えば、標本のＸＹ平面の全域の蛍光画像を取得しても良いし、ＸＹ平面の一部の領域の蛍光画像を取得しても良い。また、標本のＺ軸方向においても限定はなく、標本の厚みを包括する全域を取得しても良いし、特定の領域（層）のみを取得しても良い。なお、Ｚ軸方向は撮像装置１００の光軸（光軸Ｂ９）に平行な方向であり、ＸＹ平面は、Ｚ軸方向に垂直で且つ標本７の表面に平行な面である。
【００５５】
以上のとおり、本実施形態では、蛍光画像取得ユニットが、蛍光励起用光源１、励起光ユニット１３、蛍光フィルターユニット３、第一レンズユニット８、第二レンズユニット２５、及び、画像取得ユニット１０から構成されている。
【００５６】
（位相画像取得ユニット）
撮像装置１００は、標本７の位相画像を取得するための位相画像取得ユニットを有している。以下、位相画像取得ユニットの構成について説明する。
【００５７】
位相画像取得ユニットでは、位相画像として、位相差画像を取得してもよいし、定量位相画像を取得してもよい。定量位相画像とは、光が位相物体（例えば標本）を透過する際に生じる位相差量を、定量的に画像化したものである。それゆえ定量位相画像は、位相差画像とは異なり、光学的に薄い物体（例えば細胞質）は明るく可視化され、光学的に厚い物体（例えば細胞核）は暗く可視化される特徴を持つ。
【００５８】
図３に、位相差画像を取得するための位相画像取得ユニット（位相差顕微鏡）の構成例を示す。
透過照明用光源１２から発せられた光は、照明ユニット１４に送りこまれる。照明ユニット１４は、コレクタレンズ１５、視野絞り１６、第一コンデンサレンズ１７、リングスリット１８、第二コンデンサレンズ１９から構成される。また、第一コンデンサレンズ１７、リングスリット１８、第二コンデンサレンズ１９をまとめて位相差観察用コンデンサユニット２０と称されることもある。
【００５９】
照明ユニット１４に送りこまれた光は、リングスリット１８を介して、標本７に照射される。標本７に到達した光は、標本内部を直進する直接光と、位相物体により曲がって進んだ回折光とに分かれ、第一レンズユニット８で集光される。位相画像取得ユニットでは、対物レンズ２１と位相板２２から構成された位相差観察用の第一レンズユニット８を用いる。なお、蛍光観察と位相差観察とで第一レンズユニット８を入れ替えてもよいし、共用可能な構成の場合には同じ第一レンズユニット８を用いてもよい。また、第一レンズユニット８は、自動または手動により、所望の倍率のものに切り替えられるように構成されていてもよい。
【００６０】
位相板２２には、光の位相を１／４λずらす効果を持つ１／４波長板と光を吸収するＮＤフィルター２３がリング状に配置されている。それゆえ、対物レンズ２１により集光された直接光は、位相板２２により位相が１／４λずらされると同時に、ＮＤフィルターにより減光される。一方、対物レンズ２１により集光された回折光の大部分は、位相板２２の透明部分を通過する。
【００６１】
そして、位相板２２を通過した直接光と回折光は、光軸Ｂ９の方向に導かれ、第二レンズユニット２５を介して、画像取得ユニット１０に到達し、明暗のコントラストがついた位相差画像が取得される。また、位相差画像は、画像処理装置１１で処理・記録され、利用者は、取得した位相差画像をディスプレイで確認することができる。
【００６２】
定量位相画像を取得するための位相画像取得ユニットとしては、微分干渉顕微鏡など公
知の方法を用いることができる。例えば、標本７からの透過光と、標本７を通過しない光（基準光）とを干渉させた干渉縞を取得し、フリンジスキャン法やフーリエ変換法などで干渉縞を解析して位相接続（フェイズ・アンラップ処理）することで定量位相画像を取得することができる。
【００６３】
また、トールボット干渉計を利用することで、基準光を必要とせずに定量位相画像を取得する方法が挙げられる。この方法では、トールボット型干渉計により得られる干渉縞を、フーリエ変換法などで解析して位相接続（フェイズ・アンラップ処理）することで、定量位相画像を取得することができる。例えば、トールボット干渉計を基本としてハルトマンマスクを改善した方法が、参考文献[Ｏｐｔｉｃｓ  Ｅｘｐｒｅｓｓ，Ｖｏｌ．１７，
Ｉｓｓｕｅ  １５，ｐｐ．１３０８０−１３０９４（２００９）]に記載されている。
【００６４】
本実施形態において、取得される位相画像の領域は、取得した蛍光画像の領域の少なくとも一部の領域を含んでいればよい。例えば、取得した蛍光画像の領域（ＸＹ平面）と同じ大きさの領域（ＸＹ平面）の位相画像を取得しても良いし、違っていても良い。また、標本の厚み方向（Ｚ軸方向）においても同様で、取得した蛍光画像と同じ層の位相画像を取得しても良いし、その層を包括する全域の位相画像を取得しても良い。
また、取得される蛍光画像の大きさと、取得される位相画像の大きさは、蛍光画像と位相画像のＸＹ軸上の位置的関係が維持されている限り限定はなく、同じであっても良いし、異なっていても良い。
【００６５】
画像取得ユニット１０は、標本７からの透過光や蛍光を電気信号に変換し、画像データを生成するためのイメージング用の撮像デバイスである。典型的には、ＣＣＤイメージセンサー、ＣＭＯＳイメージセンサー、ＥＭ−ＣＣＤイメージセンサーなどを用いたモノクロあるいはカラーの高感度冷却カメラを、画像取得ユニット１０として用いることができる。なお、本実施形態の撮像装置１００は、市販のカメラを用いても良いし、新たに作製したカメラを用いても良い。
【００６６】
本実施形態では、蛍光画像取得ユニットと位相画像取得ユニットを一つの撮像装置１００に実装している。この構成は、光学系の一部や画像取得ユニット１０を共通にすることで、システム構成の簡易化・小型化・低コスト化を図ることができる利点をもつ。ただし、蛍光画像の取得と位相画像の取得を別個の画像取得ユニットで行ってもよいし、蛍光画像取得用の撮像装置と位相画像取得用の撮像装置を設けてもよい。
【００６７】
（画像処理装置）
図４は、画像処理装置１１がもつ領域特定用画像の生成に関する機能の構成を模式的に示すブロック図である。画像処理装置１１は、画像記憶部１１０、蛍光画像変換部１１１、位相画像変換部１１２、画像生成部１１３、画像ビューワ１１４、パラメータ設定部１１５などの機能を有している。
【００６８】
画像記憶部１１０は、撮像装置１００で取得された画像データや画像処理装置１１で生成された画像データを記憶する機能である。蛍光画像変換部１１１は、蛍光画像に対して第１の代替色を適用し代替色蛍光画像を生成する機能である。位相画像変換部１１２は、位相画像に対して第２の代替色を適用し代替色位相画像を生成する機能である。画像生成部１１３は、代替色蛍光画像と代替色位相画像とを合成して領域特定用画像を生成する機能である。
【００６９】
画像ビューワ１１４は、領域特定用画像をディスプレイに表示し、利用者による関心領域の探索・決定作業を支援するアプリケーションソフトウェアである。また、画像ビューワ１１４は、領域特定用画像と検査用の蛍光画像のあいだの対応領域を切り替え又は並べ
て表示し、利用者による関心領域の検査・診断を支援する機能も有する。
【００７０】
パラメータ設定部１１５は、蛍光画像変換部１１１、位相画像変換部１１２、画像生成部１１３で利用される画像処理パラメータを記憶する機能である。また、パラメータ設定部１１５は、利用者に画像処理パラメータの変更や選択を行わせる機能を提供してもよい。画像処理パラメータには、代替色を定義する情報と、合成方法を定義する情報とが含まれるとよい。代替色を定義する情報は、例えば、ＲＧＢ値、Ｌａｂ値ＨＳＶ値、トーンカーブ、カラーパレット、カラールックアップテーブル、関数、色変換行列など、どのような形式でもよい。
【００７１】
画像処理装置１１は、ＣＰＵ（中央演算処理装置）、メモリ、補助記憶装置（ハードディスク、半導体ディスク、外部ストレージなど）、ディスプレイ、入力装置などを有するコンピュータにより構成することができる。本実施形態における画像処理装置１１の機能は、補助記憶装置に格納されたプログラムをＣＰＵが実行することで実現されるものである。なお、画像処理装置１１の機能の一部又は全部をＡＳＩＣやＦＰＧＡなどの回路で実現してもよいし、クライアント−サーバシステムやクラウドコンピューティングや分散コンピューティングなどで実現してもよい。
【００７２】
また、画像処理装置１１は、画像取得に必要な操作や、撮像装置１００の制御も行う。例えば、励起光量の調整、蛍光フィルターユニットの切り替え、レンズの切り替え、露光時間の調整、視野絞りの調整、開口絞りの調整、標本ステージの移動、画像取得ユニットの感度調整などの制御が可能である。
【００７３】
（イメージングシステムの動作）
次に、イメージングシステムの動作の一例を、図５に示したフローチャートを用いて説明する。
ステップＳ５０では、蛍光画像取得ユニットにより標本７の細胞核の蛍光画像が取得される。この蛍光画像のデータは画像処理装置１１の画像記憶部１１０に格納される。一方、ステップＳ５１では、位相画像取得ユニットにより同じ標本７の位相画像が取得される。この位相画像のデータは画像処理装置１１の画像記憶部１１０に格納される。本実施形態では、蛍光画像と位相画像のいずれも８ビットのグレースケール画像（輝度情報を０〜２５５の値でもつ画像）である。
【００７４】
ステップＳ５２では、蛍光画像変換部１１１が、画像記憶部１１０から蛍光画像を読み込むと共に、パラメータ設定部１１５から第１の代替色を定義する情報を読み込む。そして、蛍光画像変換部１１１は、蛍光画像に対して第１の代替色を適用し、蛍光画像の輝度情報を第１の代替色で表現した代替色蛍光画像を生成する。代替色蛍光画像のデータは、画像生成部１１３に渡される。
【００７５】
本明細書において「画像に対して代替色を適用する」とは、画像の各画素値（輝度情報を８ビットでもつ画像であれば、０〜２５５の値）に対し、代替色を割り当てる（マッピングする）操作を意味する。このような操作で得られる代替色画像は疑似カラー画像と呼ばれることもある。代替色を割り当てる操作には、様々な方法を用いることができる。例えば、代替色を定義する情報として、１つの色値（例えば最大画素値に対応するＲＧＢ値、Ｌａｂ値、ＨＳＶ値など）が与えられた場合は、当該色値を線形又は所定のトーンカーブにマッピングすることで各画素値に対応する色値を計算するとよい。また、代替色を定義する情報として、トーンカーブ、カラーパレット、カラールックアップテーブル、関数、色変換行列などが与えられた場合は、各画素値に対応する色値を取得ないし計算することができる。なお、代替色には、有彩色だけでなく、無彩色を用いることができる。また、画素値に応じて色相が変化するカラールックアップテーブルを用いることもできる。
【００７６】
本実施形態において、代替色を適用する目的は、後述の合成画像（領域特定用画像）において、関心領域を決定するために不可欠な細胞核の内側及び外側の構造的情報を視覚化させることにある。それゆえ、細胞核の蛍光画像に対して第１の代替色を適用する第一の目的は、標本における細胞核の位置情報に加え、細胞核内のより詳細な構造を可視化させることである。即ち、第１の代替色により核内の構造が可視化できるだけのコントラストが与えられればよく、細胞核の蛍光画像に適用する第１の代替色は、特に限定されるものではない。それゆえ第１の代替色には、任意の色を用いることができる。
【００７７】
一方で、染色に使用する蛍光性化合物は、化合物特有の蛍光色を発する性質を有している。利用者の指示に基づき、蛍光性化合物が有する蛍光色に類似した代替色を適用しても良い。例えば、ＤＡＰIやＨｏｅｃｈｓｔ３３３４２は、４６０〜４８０ｎｍ付近に蛍光
極大波長を持つＤＮＡの蛍光染色剤であるが、蛍光波長域は、この蛍光極大波長を中心に４００〜６００ｎｍまで広く分布している。それゆえ、代替色として青〜水色の色相範囲の色を適用しても良い。また、Ａｃｒｉｄｉｎｅ  Ｏｒａｎｇｅは、二本鎖ＤＮＡに結合して５２６ｎｍ付近に蛍光極大波長を持つ蛍光染色剤である。この場合は、代替色として緑〜オレンジ色の色相範囲の色を適用しても良い。
【００７８】
また病理学的検査においては、標本が有する詳細な情報を可視化させる方法として、ヘマトキシリン染色やＨ＆Ｅ染色が利用され続けてきた。そして、長年に渡って蓄積されたヘマトキシリン染色やＨ＆Ｅ染色に関する知見が、関心領域の決定に活用されている。それゆえ、関心領域を決定する際、任意の代替色や蛍光化合物に類似した代替色ではなく、ヘマトキシリン染色に類似した代替色が好まれる場合もあり得る。
【００７９】
ヘマトキシリンにより染色された細胞核は、典型的には４５０〜６５０ｎｍにかけてブロードな吸収スペクトルを持つことが知られている。それゆえ、細胞核の蛍光染色画像に対してヘマトキシリン染色の同系色である、赤紫〜紫〜青紫〜青の色相範囲の色を適用しても良い。
【００８０】
蛍光画像変換部１１１は、細胞核の蛍光画像をカラー反転（ネガポジ反転）し、その後にヘマトキシリン染色の同系色を第１の代替色として適用すると良い。あるいは、この処理と同じ結果が得られるようなカラールックアップテーブルを用いてもよい。これにより、蛍光画像の背景色（典型的には黒色）が、ヘマトキシリン染色像やＨ＆Ｅ染色像の背景色である白色に置換され、ヘマトキシリン染色によく近似した合成画像を得ることができる。
【００８１】
ステップＳ５３では、位相画像変換部１１２が、画像記憶部１１０から位相画像を読み込むと共に、パラメータ設定部１１５から第２の代替色を定義する情報を読み込む。そして、位相画像変換部１１２は、位相画像に対して第２の代替色を適用し、位相画像の輝度情報を第２の代替色で表現した代替位相画像を生成する。代替位相画像のデータは、画像生成部１１３に渡される。
【００８２】
位相画像では、位相物体、即ち、コラーゲンなどの線維性の組織、線維芽細胞、細胞外マトリックス、結合組織、細胞膜、核小体などが、明瞭なコントラストを持って可視化される。そして、明瞭に可視化されたこれら構造が、関心領域を決定するための重要な判断材料となる。
【００８３】
それゆえ、位相画像と蛍光画像が合成された際に、細胞核の内側及び外側の詳細な構造の把握が可能なコントラストが得られるように、位相画像に適用する第２の代替色を選ぶと良い。即ち、位相画像に適用する第２の代替色は、細胞核の蛍光画像に適用した第１の
代替色と異なる色であれば、特に限定されるものではない。例えば第２の代替色は、無彩色及び有彩色の中から任意の色を選択することができる。
【００８４】
一方、上述したように、関心領域の決定においては、ヘマトキシリン染色、またはＨ＆Ｅ染色で蓄積された多くの知見が利用される。それゆえ、位相画像に適用する第２の代替色においても、ヘマトキシリン染色、またはＨ＆Ｅ染色に類似した代替色が好まれる場合もあり得る。
【００８５】
ヘマトキシリン染色の場合は、細胞核以外は無染色となる。これを模擬するのであれば、第２の代替色としては、グレースケール、又は、グレースケールに近い低彩度の色を用いるとよい。また、エオジンにより染色されたコラーゲン、線維芽細胞、細胞外マトリックス、結合組織、細胞膜などは、典型的には５００〜５５０ｎｍに極大吸収スペクトルを持つことが知られている。それゆえ、Ｈ＆Ｅ染色を模擬するのであれば、エオジン染色の同系色である、赤〜赤紫〜紫の色相範囲の色を第２の代替色として用いるとよい。
【００８６】
ヘマトキシリンおよびエオジン染色の色合いは、染色条件により大きく異なり、染色を実施する術者や施設間でのばらつきが大きいことも知られている。それゆえ、各施設で得られたＨ＆Ｅ染色標本の吸収スペクトルデータを調べて、この色相に対応した第１及び第２の代替色を適用しても良い。
【００８７】
ステップＳ５４では、画像生成部１１３が、代替色蛍光画像と代替色位相画像を合成して、領域特定用画像を生成する。画像生成部１１３は、細胞核内外の詳細な構造を可視化させるために、代替色蛍光画像と代替色位相画像の位置的関係を保ったまま領域特定用画像を生成する。例えば、代替色蛍光画像が可視化する細胞核のクロマチンの分布と、代替色位相画像が可視化する細胞核の核小体が正しく重なるように、２つの画像のＸＹ軸上の位置的関係を保つように重ね合わせる。
【００８８】
蛍光画像と位相画像のＸＹ軸上の位置的関係を保つ方法としては、図１に代表されるイメージングシステムにおいて、ＸＹステージ（不図示）の座標を保ち、蛍光画像と位相画像を連続的に取得していく方法が好適である。しかし、両画像を独立に取得し、その後、画像処理装置において、両画像の位置合わせを行うこともできる。
【００８９】
代替色蛍光画像と代替色位相画像の合成処理には、例えば、加算合成法、加算平均合成法、乗算、比較明合成法、アルファブレンドなどを用いることができる。加算合成法は、２つの画像の画素値を色チャンネルごとに加算する方法である。例えば、一方の画像の画素値が（Ｒ１，Ｇ１，Ｂ１）であり、他方の画像の画素値が（Ｒ２，Ｇ２，Ｂ２）である場合、加算合成により得られる画素値は（Ｒ１＋Ｒ２，Ｇ１＋Ｇ２，Ｂ１＋Ｂ２）となる。加算平均合成法は、２つの画像の画素値を色チャンネルごとに平均する方法である。加算平均合成により得られる画素値は（（Ｒ１＋Ｒ２）÷２，（Ｇ１＋Ｇ２）÷２，（Ｂ１＋Ｂ２）÷２）となる。乗算は、２つの画像の画素値を色チャンネルごとに乗算する方法である。例えば、乗算により得られる画素値は（（Ｒ１×Ｒ２）÷Ｒｍａｘ，（Ｇ１×Ｇ２）÷Ｇｍａｘ，（Ｂ１×Ｂ２）÷Ｂｍａｘ）となる。ここで、Ｒｍａｘ、Ｇｍａｘ、 
Ｂｍａｘは各色チャンネルの最大値である。比較明合成法は、２つの画像の画素ごとの明度を比較し、高明度の方の画素値を用いて１枚の画像にする方法である。例えば、（Ｒ１，Ｇ１，Ｂ１）より（Ｒ２，Ｇ２，Ｂ２）の明度が高い場合は、合成後の画素値として（Ｒ２，Ｇ２，Ｂ２）が出力される。アルファブレンドは、透過度を決める係数（アルファ値）を用いて２つの画像の画素値を色チャンネルごとに重み付け加算する方法である。係数をａとしたとき、合成後の画素値は（ａ×Ｒ１＋（１−ａ）×Ｒ２，ａ×Ｇ１＋（１−ａ）×Ｇ２，ａ×Ｂ１＋（１−ａ）×Ｂ２）となる。本実施形態において、合成方法に限定はないが、典型的には、加算合成法やアルファブレンドが適用される。また、画像を合
成する際、位相画像の透過度を変化させることで、結合組織のコントラストを任意に変更することもできる。
【００９０】
ステップＳ５４で生成された領域特定用画像は、画像記憶部１１０に格納される。ステップＳ５５では、画像ビューワ１１４が領域特定用画像をディスプレイに表示する。利用者は、マウスなどの入力装置を利用して、領域特定用画像の拡大／縮小、スクロールを行うことができる。そして、利用者は、結合組織や核小体を含む細胞核の構造的情報が視覚化された領域特定用画像を用いて、生物学的または病理学的な関心領域を決定することができる。その後、利用者は、画像ビューワ１１４上で、領域特定用画像を検査用の蛍光画像に切り替えたり、両画像を並べて表示し、関心領域としてマークした部分の標的物質の検査を行うことができる。
【００９１】
領域特定用画像の使用方法としては、例えば、ＩＨＣやＩＳＨにおいて、検体組織から複数の組織切片標本を作製し、その標本の一つをＨ＆Ｅ染色し、大まかな関心領域を決定した後、領域特定用画像を用いて、より詳細な関心領域を決定する方法が挙げられる。また、Ｈ＆Ｅ染色標本を使用せず、領域特定用画像を利用して、関心領域を決定し、その後、ＩＨＣ検査やＩＳＨ検査を実施する方法も挙げられる。なお、関心領域とは、例えばがんの浸潤部など、ある範囲を指す場合や、個々の細胞を指す場合もあり、限定されるものではない。
【００９２】
第一の実施形態において取得される各画像と領域特定用画像の利点を簡単に説明する。ＤＡＰＩやＨｏｅｃｈｓｔ３３３４２などの蛍光性インターカレーターは、ＤＮＡに特異的に結合するため、標本における細胞核の位置情報や、クロマチンの分布状態を可視化することができる。しかし、タンパク質成分を多く含む核小体は、これらインターカレーターでは可視化させることができない。即ち、ＤＡＰＩによる対比染色単独の蛍光画像は、関心領域を決定する為に必要な情報を可視化していない。一方、位相画像は、位相物体に明瞭なコントラストを与える。即ち、線維性組織、線維芽細胞、細胞外マトリックス、結合組織、細胞膜、核小体など、明瞭に可視化させる。それゆえ、蛍光画像と位相画像を取得・合成することで、関心領域を決定するために不可欠な細胞核の内側及び外側の構造的情報がより良く可視化される。これにより、ＦＩＳＨ染色やＩＨＣ染色を用いた検査において、同一の標本からの関心領域の決定と標的物質の検査が可能となる。それゆえ、Ｈ＆Ｅ染色標本で関心領域を決定する従来の方法に比べて、検査が大幅に迅速化、簡便化される。
【００９３】
次に、位相画像として定量位相画像を利用する効果について説明する。定量位相画像は、位相物体の位相差情報を定量的に可視化させた画像である。即ち、光学的に薄い物体、例えば、細胞質や薄いタンパク質の膜などは、薄く（明るく）可視化され、光学的に厚い物体、例えば、クロマチンや核小体は、厚く（暗く）可視化される。それゆえ、位相差観察法に見られるブライトコントラストやダークコントラストがなく、位相物体の有無や量をコントラスト差として可視化させることができる。それゆえ利用者は、得られた領域特定用画像をより直観的に（観たままに）解釈することができ、ＦＩＳＨ染色やＩＨＣ染色を施した標本からの関心領域の決定がより容易となる。
【００９４】
＜第二の実施形態＞
本発明の第二の実施形態では、蛍光画像と位相画像に加え、結合組織の自家蛍光画像を用いることで、Ｈ＆Ｅ染色画像に極めてよく近似した領域特定用画像を合成する方法について説明する。
【００９５】
自家蛍光画像に適用する第３の代替色は、エオジン染色の同系色である赤〜赤紫〜紫を適用すると良い。これにより、Ｈ＆Ｅ染色と同様に、結合組織の構造に明瞭なコントラス
トを与えるだけでなく、標本中の赤血球を明瞭に可視化させることができる。さらに、よりエオジン染色に近似した画像を得るために、自家蛍光画像をカラー反転（ネガポジ反転）することで背景色を白色に置換した後、エオジン染色の同系色を適用するとよい。さらに位相画像には、自家蛍光で表現した結合組織に更なるコントラストを与えるように、グレースケール、又は、グレースケールに近い低彩度の代替色を適用するとよい。
【００９６】
図６は、第二の実施形態の画像処理装置１１の機能構成を模式的に示すブロック図である。第一の実施形態の機能構成（図４）との違いは、自家蛍光画像変換部１１６を有する点である。自家蛍光画像変換部１１６は、標本７の自家蛍光画像に対して第３の代替色を適用し代替色自家蛍光画像を生成する機能である。
【００９７】
図７のフローチャートを用いて、第二の実施形態のイメージングシステムの動作の一例を説明する。
ステップＳ７０では、蛍光画像取得ユニットが標本７の細胞核の蛍光画像を取得する。またステップＳ７１では、蛍光画像取得ユニットが自家蛍光画像取得用のフィルターユニットに切り替え、同じ標本７の自家蛍光画像を取得する。さらにステップＳ７２では、位相画像取得ユニットが同じ標本７の位相画像を取得する。これらの画像データは画像処理装置１１の画像記憶部１１０に格納される。
【００９８】
次に、蛍光画像変換部１１１が、細胞核の蛍光画像をカラー反転（ネガポジ反転）し（ステップＳ７３）、その後、第１の代替色として、ヘマトキシリン染色の同系色（例えば青紫色）を適用する（ステップＳ７４）。また、自家蛍光画像変換部１１６が、自家蛍光画像をカラー反転（ネガポジ反転）し（ステップＳ７５）、その後、第３の代替色として、エオジン染色の同系色（例えば赤紫色）を適用する（ステップＳ７６）。また、位相画像変換部１１２が、位相画像に対して第２の代替色としてグレースケールを適用する（ステップＳ７７）。そして、画像生成部１１３が、代替色蛍光画像と代替色位相画像と代替色自家蛍光画像を合成して、領域特定用画像を生成する（ステップＳ７８）。この領域特定用画像は、Ｈ＆Ｅ染色で可視化される細胞内外の詳細な構造を非常によく再現している。例えば、後述の検討例１（図１０Ａ）に示したように、細胞核の蛍光画像と自家蛍光画像から生成された合成画像は、線維性の結合組織の構造を詳細に可視化することができない。一方、本実施形態では、この合成画像に対し、位相画像の情報、即ち、線維性組織、線維芽細胞、細胞外マトリックス、結合組織、細胞膜、核小体の明瞭なコントラストが重ねられるため、関心領域の決定に適した画像が得られることになる。
【００９９】
それゆえ利用者は、病理学的検査において広く慣れ親しんだＨ＆Ｅ染色によく近似した画像を用いて、関心領域を決定することができる（ステップＳ７９）。即ち、病理学的検査分野において数十年に渡って蓄積されたヘマトキシリン染色またはＨ＆Ｅ染色に関する知見をそのまま利用できるようになり、より正確な関心領域の決定が可能となる。
【０１００】
＜第三の実施形態＞
本発明の第三の実施形態では、デフォーカスを変えて撮像された複数の明視野画像を合成して位相画像を生成する方法について説明する。
【０１０１】
（明視野画像取得ユニット）
図１及び図８を参照して、本実施形態の撮像装置１００が備える明視野画像取得ユニットの構成を説明する。図１はイメージングシステムの全体構成を模式的に示す図であり、図８は明視野画像取得ユニットの構成を模式的に示す図である。なお、蛍光画像取得ユニットの構成は第一の実施形態と同じものを用いることができるので、説明を省略する。
【０１０２】
図８に示すように、本実施形態の明視野画像取得ユニットは、透過照明用光源１２、照
明ユニット１４、第一レンズユニット８、第二レンズユニット２５、及び、画像取得ユニット１０から構成される明視野顕微鏡である。照明ユニット１４は、コレクタレンズ２６、視野絞り２７、第一コンデンサレンズ２８、開口絞り２９、第二コンデンサレンズ３０を有する。第一コンデンサレンズ２８、開口絞り２９、第二コンデンサレンズ３０をまとめて明視野観察用コンデンサユニット３１と称されることもある。第一レンズユニット８、第二レンズユニット、及び、画像取得ユニット１４については、第一の実施形態と同じものを用いることができる。
【０１０３】
透過照明用光源１２から発せられた光は、照明ユニット１４を介して、標本７に照射される。標本７を透過した光は、第一レンズユニット８及び第二レンズユニット２５を介して、画像取得ユニット１０に結像する。そして、画像取得ユニット１０によって明視野画像が取得され、そのデータは画像処理装置１１に送信される。
【０１０４】
本実施形態では、明視野画像取得ユニットによって、デフォーカスを変えながら標本７を複数回撮像し、デフォーカスの異なる（Ｚ軸方向の焦点位置が異なる）複数の明視野画像が取得される。具体的には、第一レンズユニット８を、自動または手動で、任意の距離（Ｚ軸方向）と幅で移動しながら、画像取得ユニット１０で画像を取り込む。これにより、標本７に対するＺ軸方向の焦点位置が異なる複数の明視野画像が得られる。また、別の方法として、標本７を保持するＸＹＺステージ（不図示）をＺ軸方向に所定のピッチで移動させながら複数回の撮像を行うことでも、同様の画像群を取得することができる。このような撮像手法は、Ｚスタック撮像、又はフォーカス・ブラケッティングとも呼ばれる。撮像装置１００によって得られた複数の明視野画像のデータは、画像処理装置１１の画像記憶部１１０に格納される。
【０１０５】
図９は、第三の実施形態の画像処理装置１１の機能構成を模式的に示すブロック図である。第一の実施形態の機能構成（図４）との違いは、位相画像生成部１１７を有する点である。位相画像生成部１１７は、デフォーカスを変えて撮像された複数の明視野画像から位相画像を生成する機能である。
【０１０６】
位相画像生成部１１７は、画像記憶部１１０から複数の明視野画像のデータを読み込み、それらを合成して位相画像を生成する。生成された位相画像は位相画像変換部１１２に出力され、第一の実施形態や第二の実施形態で述べた領域特定用画像の生成に利用される。
【０１０７】
複数の明視野画像を合成して位相画像を生成する方法には、公知の方法を含め、どのような方法を用いてもよい。例えば、デフォーカスを変えた複数の明視野画像にＴＩＥ（Ｔｒａｎｓｐｏｒｔ  Ｉｎｔｅｎｓｉｔｙ  Ｅｑｕａｔｉｏｎ）法を適用することで定量位相画像を取得する方法が、参考文献［ＪＯＳＡ，Ｖｏｌ．７３，Ｉｓｓｕｅ  １１，ｐｐ．１４３４−１４４１（１９８３）］に記載されている。本実施形態の位相画像生成部１１７はこの参考文献の方法を用いることとする。
【０１０８】
さらに、上記の方法で取得された定量位相画像からは、微分干渉顕微鏡で取得可能な微分干渉画像や、位相差顕微鏡で取得可能な位相差画像を合成することもできる。例えば、上記のデフォーカスを変えた複数の明視野画像にＴＩＥ法を適用することで、定量位相画像だけでなく、位相差画像、微分干渉画像を取得することができる。
【０１０９】
本実施形態では、蛍光画像取得ユニットと明視野画像取得ユニットを一つの撮像装置１００に実装している。この構成は、光学系の一部や画像取得ユニット１０を共通にすることで、システム構成の簡易化・小型化・低コスト化を図ることができる利点をもつ。ただし、蛍光画像の取得と明視野画像の取得を別個の画像取得ユニットで行ってもよいし、蛍
光画像取得用の撮像装置と明視野画像取得用の撮像装置を設けてもよい。例えば、蛍光画像や明視野画像を取得するための高感度モノクロカメラとは別に、明視野画像を取得する為のカラーカメラを搭載し、モノクロカメラの画像から領域特定用画像を生成し、カラーカメラによりＨ＆Ｅ染色標本などのカラー画像を取得してもよい。
【０１１０】
以上述べた本実施形態の構成によれば、明視野画像から位相差画像や定量位相画像の合成が可能となる。それゆえ、位相画像を取得するための専用のユニットが不要となる。例えば、図３に示したような、位相差画像を取得するための位相差観察用対物レンズや位相差板、または、定量位相画像を取得する為の専用ＣＣＤカメラが不要となる。それゆえ、標本の撮影が簡便になるだけでなく、イメージングシステムの小型化も可能となる。
本実施形態では、正立型顕微鏡システムを例に説明したが、本発明はこれに限らず、倒立型顕微鏡システムにも適用することができる。
【０１１１】
＜実施例＞
以下、本発明の効果及び利点を説明するために、いくつかの検討例と本発明の実施例を説明する。ただし、下記の実施例は本発明を例示するものに過ぎず、本発明の範囲は下記の実施例により何ら限定されるものではない。
【０１１２】
［検討例１］
検討例１では、関心領域の決定に用いる領域特定用画像を生成するに当たり、細胞核ならびに結合組織が最も明瞭に可視化される画像の取得方法を選定した。以下に、その選定方法と結果を示す。
【０１１３】
（１）標本の脱パラフィン処理
浸潤性乳管癌のホルマリン固定パラフィン包埋組織切片スライド標本（ＵＳ  Ｂｉｏｍａｘ社）の脱パラフィン処理は、以下の手順で行った。
ａ）キシレン（和光純薬工業社）を入れた容器に上記の標本を浸漬し、室温で１０分間、静置させた。また、この操作を３回行った。
ｂ）９９．５％エタノール（和光純薬工業社）を入れた容器に標本を浸漬し、室温で５分間、静置させた。また、この操作を２回行った。
ｃ）９０％エタノールを入れた容器に標本を浸漬し、室温で５分間、静置させた。
ｄ）８０％エタノールを入れた容器に標本を浸漬し、室温で５分間、静置させた。
ｅ）７０％エタノールを入れた容器に標本を浸漬し、室温で５分間、静置させた。
ｆ）超純水を入れた容器に標本を浸漬し、室温で３分間、静置させた。また、この操作を３回行った。
ｇ）標本を室温で乾燥させた。
【０１１４】
（２）標本中の細胞核の蛍光染色
脱パラフィン処理を行った標本に、ＤＡＰＩ含有水溶性マウント（ベクターラボラトリーズ社）を３０μＬ滴下し、２２×２２ｍｍのカバーグラス（松浪硝子工業社）を被せ、これを細胞核の蛍光染色標本とした。
【０１１５】
（３）自家蛍光画像を用いた合成画像の取得
上記の蛍光染色標本を用いて、細胞核の蛍光画像と、組織由来の自家蛍光画像を取得した。尚、画像の取得に当たっては、図１に示したイメージングシステムを使用した。また、以降の検討において、特に記載がない限り、撮影には４０倍の対物レンズ（ＮＡ０．７５）を使用した。
始めに、Ｕ励起用の蛍光フィルターユニットを用いて、細胞核（ＤＡＰＩ）の蛍光画像を取得した。次に、Ｇ励起用のフィルターユニットを用いて、標本の自家蛍光画像を取得した。
次に、細胞核の蛍光画像をカラー反転し、その後、ヘマトキシリン染色に類似した代替色（青紫色）を適用した。同様に、自家蛍光画像をカラー反転し、その後、エオジン染色に類似した代替色（赤紫）を適用した。最後に、二つの画像から合成画像を生成した。
【０１１６】
（４）暗視野画像を用いた合成画像の取得
操作（３）で使用した標本を用いて、細胞核の蛍光画像、組織由来の自家蛍光画像、ならびに暗視野画像を取得した。
始めに、Ｕ励起用の蛍光フィルターユニットを用いて、細胞核（ＤＡＰＩ）の蛍光画像を取得した。次に、Ｇ励起用のフィルターユニットを用いて、標本の自家蛍光画像を取得した。次に、暗視野観察に対応した対物レンズ（４０倍、ＮＡ０．６５）と暗視野観察用コンデンサを用いて、標本の暗視野画像を取得した。
次に、細胞核の蛍光画像をカラー反転し、その後、ヘマトキシリン染色に類似した代替色（青紫色）を適用した。同様に、自家蛍光画像をカラー反転し、その後、エオジン染色に類似した代替色（赤紫）を適用した。さらに、暗視野画像にはグレースケールの代替色を適用し、三つの画像から合成画像を生成した。
【０１１７】
（５）位相差画像を用いた合成画像の取得
操作（３）で使用した標本を用いて、細胞核の蛍光画像、組織由来の自家蛍光画像、ならびに位相差画像を取得した。
始めに、Ｕ励起用の蛍光フィルターユニットを用いて、細胞核（ＤＡＰＩ）の蛍光画像を取得した。次に、Ｇ励起用のフィルターユニットを用いて、標本の自家蛍光画像を取得した。次に、位相差観察に対応した対物レンズ（４０倍、ＮＡ０．７５）と位相差観察用コンデンサを用いて、標本の位相差画像を取得した。
次に、細胞核の蛍光画像をカラー反転し、その後、ヘマトキシリン染色に類似した代替色（青紫色）を適用した。同様に、自家蛍光画像をカラー反転し、その後、エオジン染色に類似した代替色（赤紫）を適用した。さらに、位相差画像にはグレースケールの代替色を適用し、三つの画像から合成画像を生成した。
【０１１８】
（６）合成画像の比較
図１０Ａは、操作（３）で得られたＤＡＰＩ蛍光画像と自家蛍光画像の合成画像である。この合成画像は前述の特許文献２の方法で得られる画像に相当する。ＤＡＰＩによる細胞核の位置情報と共に、自家蛍光画像により結合組織が可視化されている。しかし、エオジン染色に相当する自家蛍光画像では、核小体や結合組織の詳細な構造を明瞭に可視化させることが出来なかった。それゆえ、本合成画像は、関心領域の決定に必要な情報を十分に可視化させているとは言い難かった。
【０１１９】
図１０Ｂは、操作（４）で得られたＤＡＰＩ蛍光画像、自家蛍光画像、暗視野画像の合成画像である。この合成画像は前述の特許文献１の方法で得られる画像に相当する。ＤＡＰＩによる細胞核の位置情報と共に、自家蛍光画像ならびに暗視野画像により結合組織が可視化されている。しかし、エオジン染色に相当する自家蛍光画像ならびに暗視野画像では、図１０Ａの合成画像と同様に、結合組織の詳細な構造を可視化させることが出来なかった。それゆえ、本合成画像は、関心領域の決定に必要な情報を十分に可視化させているとは言い難かった。
【０１２０】
図１０Ｃは、操作（５）で得られたＤＡＰＩ蛍光画像、自家蛍光画像、位相差画像の合成画像である。この合成画像は前述の第二の実施形態の方法で得られる領域特定用画像に相当する。ＤＡＰＩによる細胞核の位置情報と共に、位相差画像により結合組織が可視化されている。位相差観察は、蛍光観察や暗視野観察とは異なり、標本が持つ位相差をコントラストに変換して画像化する特徴を持つ。それゆえ図１０Ｃの画像では、図１０Ａや図１０Ｂの画像では確認することができなかった線維性の結合組織に適切なコントラストが
与えられ、詳細な構造が可視化されている。
以上の検討により、蛍光画像と位相画像による合成画像（図１０Ｃ）が、最も明瞭に細胞核ならびに結合組織を可視化できることが分かった。
【０１２１】
［検討例２］
検討例２では、蛍光画像と位相画像から領域特定用画像を生成するに当たり、より関心領域の決定に適した位相画像を選定するための検討を行った。以下に、その検討方法と結果を示す。
【０１２２】
ヒト正常乳腺のホルマリン固定パラフィン包埋組織切片スライド標本（ＢｉｏＣｈａｉｎ社）の脱パラフィン処理を上記の操作（１）の手順に従って実施した。その後、以下の手順に従い、標本の脱水、透徹、封入を行った。
【０１２３】
（脱水操作）
ａ）８５％エタノールを入れた容器に標本を浸漬し、室温で５分間、静置させた。
ｂ）９５％エタノールを入れた容器に標本を浸漬し、室温で５分間、静置させた。
ｃ）９９．５％エタノールを入れた容器に標本を浸漬し、室温で５分間、静置させた。
ｄ）９９．５％エタノールを入れた容器に標本を浸漬し、室温で５分間、静置させた。
【０１２４】
（透徹操作）
ｅ）キシレンを入れた容器に標本を浸漬し、室温で５分間、静置させた。
ｆ）キシレンを入れた容器に標本を浸漬し、室温で５分間、静置させた。
【０１２５】
（封入操作）
ｇ）マウント剤を標本に滴下し、２２×２２ｍｍのカバーグラスを被せ、ヒト正常乳腺の無染色標本を作製した。
【０１２６】
次に、位相差観察に対応した対物レンズ（４０倍、ＮＡ０．７５）と位相差観察用コンデンサを用いて、無染色標本の位相差画像を取得した。
次に、明視野観察に対応した対物レンズ（４０倍、ＮＡ０．７５）と明視野観察用コンデンサを用いて、対物レンズをＺ軸方向に０．３μｍずつ移動させながら、無染色標本のＺスタック明視野画像を取得した。その後、取得した複数枚の明視野画像から、定量位相画像と位相差画像を合成した。
さらに、フェーズイメージングカメラ（ＰＨＡＳＩＣＳ社）を用いて、無染色標本の定量位相画像を取得した。
【０１２７】
図１１Ａは、位相差観察により取得した位相差画像である。線維性の組織や細胞膜などの組織構造が識別できるだけでなく、核小体も明瞭に識別できる。
図１１Ｂは、フェーズイメージングカメラにより取得した定量位相画像である。定量位相画像では、組織構造が定量的に可視化されるため、Ｚ軸方向に厚みのある画像が得られる。図１１Ａの画像と比較して、結合組織の構造がより明瞭に可視化される半面、膜成分が細胞核を覆うため、核小体の視認性が低下することが分かった。
図１１Ｃは、デフォーカスを変えた複数枚の明視野画像から合成した定量位相画像である。図１１Ｂの画像と同様に、結合組織の構造がより明瞭に可視化される半面、膜成分が細胞核を覆うため、核小体の視認性が低下している。
図１１Ｄは、デフォーカスを変えた複数枚の明視野画像から合成した位相差画像である。図１１Ａと同様に、線維性の組織や細胞膜などの組織構造が可視化されるに加え、核小体を明瞭に確認することができる。
以上のように、位相差画像と定量位相画像は、それぞれ異なる特徴を示しており、関心領域を決定する際には、これらの画像を使い分ける方法が効果的と言える。
【０１２８】
［実施例１］
ＦＩＳＨ染色標本のＤＡＰＩ蛍光画像と位相差画像を取得し、それらを合成した領域特定用画像を生成し、細胞核内外の構造を可視化させた。尚、検討に使用したＨＥＲ２−ＦＩＳＨポジティブコントロールスライド標本（パソロジー研究所社）のＦＩＳＨ染色は下記の手順で実施した。
【０１２９】
ａ）標本の脱パラフィン処理を操作（１）の手順に従って実施した。
ｂ）９６〜９８℃に加温した１０ｍＭクエン酸緩衝液中に標本を浸漬させて、２０分間、過熱した。
ｃ）純水を入れた容器に標本を浸漬し、室温で２分間、静置させた。尚、この操作は２回行った。
ｄ）標本にプロテアーゼ溶液を２００μＬ滴下し、湿潤箱中で３０分間、静置した。
ｅ）純水を入れた容器に標本を浸漬し、室温で２分間、静置させた。この操作は２回行った。
ｆ）２×ＳＳＣを入れた容器に標本を浸漬し、室温で２分間、静置させた。この操作は２回行った。
ｇ）標本の脱水を検討例２（脱水操作）の手順に従って実施し、その後、標本を乾燥させた。
ｈ）標本にＨＥＲ２−ＦＩＳＨプローブ（ＫＲＥＡＴＥＣＨ社）を１０μＬ滴下し、２２×２２ｍｍのカバーグラスを被せて、３７℃の湿潤インキュベーター内で一昼夜、静置した。
ｉ）５０％ホルムアミド含有２×ＳＳＣを入れた容器に標本を浸漬し、４５℃で１０分間、静置させた。この操作は３回行った。
ｊ）０．１％ＮＰ−４０含有２×ＳＳＣを入れた容器に標本を浸漬し、４５℃で１０分間、静置させた。
ｋ）２×ＳＳＣを入れた容器に標本を浸漬し、室温で１０分間、静置させた。
ｌ）標本の脱水を検討例２（脱水操作）の手順に従って実施し、その後、標本を乾燥させた。
ｍ）ＤＡＰＩ含有水溶性マウントを３０μＬ滴下し、２２×２２ｍｍのカバーグラスを被せ、これをＦＩＳＨ染色標本とした。
【０１３０】
上記のＦＩＳＨ染色標本を用いて、蛍光画像と位相差画像の合成画像を作成した。
始めに、蛍光観察に対応した対物レンズ（４０倍、ＮＡ０．９５）を用いて蛍光画像を取得した。まず、Ｕ励起用の蛍光フィルターユニットを用いて、ＤＡＰＩ蛍光画像を取得した。次に、Ｂ励起用の蛍光フィルターユニットを用いて、ＣＥＰ１７（１７番染色体セントロメア）の蛍光画像を取得した。次に、Ｇ励起用の蛍光フィルターユニットを用いて、ＨＥＲ２遺伝子の蛍光画像を取得した。次に、位相差観察に対応した対物レンズと位相差観察用コンデンサを用いて、ＦＩＳＨ染色標本の位相差画像を取得した。
次に、取得した蛍光画像ならびに位相差画像に対し代替色を適用した。尚、代替色は、ＤＡＰＩ、ＣＥＰ１７、ＨＥＲ２遺伝子、位相差の順に、青、緑、赤、グレースケールを適用した。その後、４枚の画像を加算合成法により重ね合わせ、１枚の合成画像を生成した。
【０１３１】
図１２Ａは、ＦＩＳＨ染色標本の蛍光画像であり、図１２Ｂはその一部拡大像である。細胞核の内部に、ＣＥＰ１７とＨＥＲ２遺伝子の蛍光シグナルを確認することができる。しかし、図１２Ａの蛍光画像からは、細胞核内外の詳細な構造を確認することは出来ない。
図１２Ｃは、ＦＩＳＨ染色標本の蛍光画像と位相差画像から生成した領域特定用画像であり、図１２Ｄはその一部拡大像である。細胞核の位置情報やＣＥＰ１７とＨＥＲ２遺伝
子の蛍光シグナルに加えて、細胞膜、核膜、核小体なども可視化されている。
以上のように、実施例１の方法を用いることで、ＦＩＳＨ染色標本からの関心領域の決定と標的物質の検査が可能となる。それゆえ、膨大な手間と熟練性を要していたＨ＆Ｅ染色を用いた関心領域の特定作業が不要となり、検査が迅速化、簡便化される。また、領域特定用画像から決定した腫瘍細胞そのものの遺伝子増幅やタンパク過剰発現を調べることも可能で、より直接的な検査結果を得ることができる。
【０１３２】
［実施例２］
実施例２では、ＤＡＰＩ染色標本の蛍光画像と位相差画像と自家蛍光画像を取得し、それらを合成してＨ＆Ｅ染色に近似した領域特定用画像を生成した。
【０１３３】
始めに、ヒト正常乳腺のホルマリン固定パラフィン包埋組織切片スライド標本（ＢｉｏＣｈａｉｎ社）の脱パラフィン処理を、検討例１に記載の操作（１）に従って実施した。次に、脱パラフィン処理を行った標本に、ＤＡＰＩ含有水溶性マウントを３０μＬ滴下し、２２×２２ｍｍのカバーグラスを被せ、これを細胞核の蛍光染色標本とした。その後、検討例１に記載の操作（５）に従って蛍光画像、位相差画像、及び自家蛍光画像を取得し、それらを合成して、Ｈ＆Ｅ染色によく近似した領域特定用画像を生成した。
【０１３４】
次に、コントロール標本として、上記の蛍光染色標本のＨ＆Ｅ染色と明視野画像の取得を行った。尚、標本のＨ＆Ｅ染色は、以下の手順で行った。
ａ）ＰＢＳを入れた容器に標本を浸漬し、室温で一昼夜、静置させた。
ｂ）ＰＢＳを入れた容器に標本を浸漬し、室温で５分間、静置させた。この操作を２回行った。
ｃ）ヘマトキシリン（サクラファインテックジャパン社）を入れた容器に標本を浸漬し、室温で５分間、静置させた。
ｄ）水道水を用いて標本の色出しを行い、細胞核のヘマトキシリン染色を行った。
ｅ）エオジン（サクラファインテックジャパン社）を入れた容器に標本を浸漬し、室温で１分間、静置させた。
ｆ）８５％エタノール、９５％エタノール、無水エタノールを入れた容器をそれぞれ準備し、標本を順に浸漬し、余分なエオジンを洗い流した。
ｇ）キシレンを入れた容器に標本を浸漬し、室温で３分間、静置させた。この操作を２回行った。
ｈ）マウント剤を標本に滴下し、２２×２２ｍｍのカバーグラスを被せ、Ｈ＆Ｅ染色標本を作製した。
【０１３５】
最後に、４０倍の対物レンズ（ＮＡ０．７５）と明視野コンデンサを用いて、作製したＨ＆Ｅ染色標本の明視野画像を取得した。
図１３Ａは、蛍光画像と位相差画像と自家蛍光画像から合成した領域特定用画像であり、図１３Ｃは、同一標本のＨ＆Ｅ染色画像である。両画像の比較から明らかなように、生成した領域特定用画像では、細胞核の位置情報に加え、線維性組織が明瞭に可視化されている。
更に、図１３Ｂは、図１３Ａの領域特定用画像の一部拡大像であり、図１３Ｄは、図１３ＣのＨ＆Ｅ染色画像の一部拡大像である。両画像の比較から明らかなように、領域特定用画像でも、Ｈ＆Ｅ染色が可視化する核内情報（クロマチンの局在等）が十分に確認できることが分かる。
【０１３６】
以上のように、蛍光画像と位相差画像と自家蛍光画像から合成した領域特定用画像は、Ｈ＆Ｅ染色がもたらす細胞核内外の構造的情報を非常に良く反映している。さらに、細胞核にはヘマトキシリン染色に類似した青紫を適用し、また、細胞膜成分にはエオジン染色に類似した赤紫色を適用しているため、Ｈ＆Ｅ染色に極めて近似した合成画像となってい
る。それゆえ、本実施例の方法では、病理学的検査において広く慣れ親しんだＨ＆Ｅ染色に近似した画像を用いて、関心領域を決定することができる。
【０１３７】
［実施例３］
実施例３では、ＤＡＰＩ染色標本の蛍光画像と定量位相画像を取得し、それらを合成した領域特定用画像を生成し、核内構造を可視化させた。尚、検討に使用したＨＥＲ２−ＦＩＳＨポジティブコントロールスライド標本のＤＡＰＩ染色は、下記の手順で実施した。
ａ）標本の脱パラフィン処理を操作（１）の手順に従って実施した。
ｂ）標本の脱水は、検討例２（脱水操作）の手順に従って実施し、その後、標本を乾燥させた。
ｃ）ＤＡＰＩ含有水溶性マウントを３０μＬ滴下し、２２×２２ｍｍのカバーグラスを被せ、これをＤＡＰＩ染色標本とした。
【０１３８】
始めに、Ｕ励起用の蛍光フィルターユニットを用いて、標本のＤＡＰＩ蛍光画像を取得した。次に、位相差観察に対応した対物レンズと位相差観察用コンデンサを用いて、標本の位相差画像を取得した。次に、フェーズイメージングカメラを用いて、標本の定量位相画像を取得した。
その後、ＤＡＰＩ蛍光画像には青紫色の代替色を適用し、位相差画像には赤紫の代替色を適用し、２枚の画像を加算合成法により重ね合わせ、１枚の領域特定用画像を生成した。同様に、ＤＡＰＩ蛍光画像には青紫色の代替色を、定量位相画像には赤紫の代替色を適用し、それらを合成して領域特定用画像を生成した。
【０１３９】
図１４Ａは、ＤＡＰＩ蛍光画像と位相差画像から生成した領域特定用画像である。細胞核の位置的情報だけでなく、細胞膜、核膜、核小体などを確認することができる。
図１４Ｂは、ＤＡＰＩ蛍光画像と定量位相画像から生成した領域特定用画像である。細胞核の位置的情報、細胞膜、核膜、核小体だけでなく、図１４Ａでは識別できなかった薄いタンパク質の膜成分も可視化されている。
【０１４０】
以上のように、ＤＡＰＩ蛍光画像と定量位相画像から生成した領域特定用画像では、ＤＡＰＩ蛍光画像と位相差画像から生成させた領域特定用画像とは異なり、標本が有する位相情報が定量的に可視化される。例えば、図１４Ｂが示すように、タンパク質の膜成分の重なりが明暗で可視化されるため、標本の立体的な把握が容易になる。また代替色として、細胞核にはヘマトキシリン染色に類似した青紫を適用し、また、細胞膜成分（定量位相画像）にはエオジン染色に類似した赤紫色を適用しているため、図１４Ｂの画像は、図１４Ａに比べてよりＨ＆Ｅ染色に類似した画像となっている。
【０１４１】
［実施例４］
実施例４では、図１に示したイメージングシステムにより、ＩＨＣ染色標本のＤＡＰＩ染色画像とデフォーカスを変えた複数の明視野画像を取得し、それらを合成した領域特定用画像により、核内外の構造を可視化させた。尚、検討に使用したＨＥＲ２−ＩＨＣポジティブコントロールスライド標本（パソロジー研究所社）の免疫蛍光染色は下記の手順で実施した。
【０１４２】
ａ）標本の脱パラフィン処理を操作（１）の手順に従って実施した。
ｂ）標本にプロテアーゼ溶液を１００μＬ滴下し、湿潤箱中で５分間、静置した。
ｃ）ＰＢＳを入れた容器に標本を浸漬し、室温で３分間、静置させた。この操作は３回行った。
ｄ）５μｇ／ｍＬのマウス抗ヒトＨＥＲ２モノクローナル抗体溶液（ニチレイバイオサイエンス社）を１００μＬ滴下し、湿潤箱中で３０分間、静置した。
ｅ）ＰＢＳを入れた容器に標本を浸漬し、室温で３分間、静置させた。この操作は３回
行った。
ｆ）１０μｇ／ｍＬのＴＲＩＴＣ標識Ｇｏａｔ抗マウスＩｇＧポリクローナル抗体溶液（Ｓａｎｔａ  Ｃｒｕｚ社）を１００μＬ滴下し、湿潤箱中で６０分間、静置した。
ｇ）ＰＢＳを入れた容器に標本を浸漬し、室温で３分間、静置させた。この操作は３回行った。
ｈ）標本の脱水を検討例２（脱水操作）の手順に従って実施し、その後、標本を乾燥させた。
ｉ）ＤＡＰＩ含有水溶性マウントを３０μＬ滴下し、２２×２２ｍｍのカバーグラスを被せ、これをＩＨＣ染色標本とした。
【０１４３】
ＩＨＣ染色標本の蛍光画像と明視野画像は、図１に示したイメージングシステムにより取得した。始めに、ＩＨＣ染色標本を標本ステージに設置した。次に、画像処理装置１１で動作するソフトウェアを用いて、露光時間（Ｕ励起：２秒、Ｇ励起：４秒、明視野観察：０．２秒）とＺ間隔（０．３μｍ）を設定し、標本の蛍光画像および明視野画像を取得した。
次に、取得した明視野画像から位相画像（定量位相画像ならびに位相差画像）を生成した。
次に、蛍光画像ならびに位相画像に対し代替色（ＤＡＰＩ：青紫、ＴＲＩＴＣ：赤、位相画像：グレースケール）を適用した。その後、蛍光画像と定量位相画像を合成した領域特定用画像、ならびに蛍光画像と位相差画像を合成した領域特定用画像を生成した。
【０１４４】
図１５Ａは、ＩＨＣ染色標本の蛍光画像である。細胞核（ＤＡＰＩ）が青紫色で、ＨＥＲ２タンパク（ＴＲＩＴＣ）が赤色で可視化されている。しかし、図１５Ａの蛍光画像からは、核小体などの細胞内の構造を確認することは出来ない。
図１５Ｂは、ＩＨＣ染色標本の蛍光画像と定量位相画像から生成した領域特定用画像である。細胞核の位置的情報ならびにＨＥＲ２タンパクシグナルだけでなく、細胞の境界面、細胞質、核小体も可視化されている。さらに、細胞膜や細胞質成分が定量的に可視化されているため、１５Ｂの画像はヘマトキシリン染色に類似した画像として視認される。
図１５Ｃは、ＩＨＣ染色標本の蛍光画像と位相差画像から生成した領域特定用画像である。この画像では、細胞核を覆っていた細胞膜や細胞質成分が除かれるため、核内の構造をより明瞭に視認することができる。
【０１４５】
以上のように、本実施例では、蛍光画像と明視野画像から、特徴の異なる複数の領域特定用画像を生成することが可能である。これにより利用者は、一方の領域特定用画像から標本の組織構造を定量的（直観的）に把握し、他方の領域特定用画像から細胞核内の詳細な構造を把握することが可能となる。これによりＩＨＣ染色標本からの関心領域の決定が可能となり、決定した領域そのものの標的物質シグナルの観察・解析が実施できるようになる。
【０１４６】
＜他の実施形態＞
以上述べた各実施形態及び各実施例は、本発明の好ましい具体例を示したものにすぎず、本発明の範囲はこれらの具体例に限られない。例えば、領域特定用画像の合成に用いる画像（蛍光画像、位相画像、自家蛍光画像、明視野画像など）はどのような装置で取得してもよいし、どのような順番で取得してもよい。また、フローチャートに示した処理手順は一例であり、必要に応じて、処理の順番を入れ替えたり、処理を並列に実行したりしてもよい。
【符号の説明】
【０１４７】
１１：画像処理装置、１１１：蛍光画像変換部、１１２：位相画像変換部、１１３：画像生成部、１１６：自家蛍光画像変換部、１００：撮像装置
【図１】
2016161417.tif 000003
【図２】
2016161417.tif 000004
【図３】
2016161417.tif 000005
【図４】
2016161417.tif 000006
【図５】
2016161417.tif 000007
【図６】
2016161417.tif 000008
【図７】
2016161417.tif 000009
【図８】
2016161417.tif 000010
【図９】
2016161417.tif 000011
【図１０】
2016161417.tif 000012
【図１１】
2016161417.tif 000013
【図１２】
2016161417.tif 000014
【図１３】
2016161417.tif 000015
【図１４】
2016161417.tif 000016
【図１５】
2016161417.tif 000017